(57)【要約】  本発明は、連結エレメント（２）と、インサート部材（３）と、固定エレメント（４）とを備える媒体導管用の接続装置（１）に関する。連結エレメント（２）は、接続開口部（５）と流体通路（６）とを有し、インサート部材（３）は、接続開口部（５）内に少なくとも部分的に取付可能であり、インサート部材（３）は、固定エレメント（４）を用いて連結エレメント（２）に固定可能である。接続装置（１）は、固定エレメント（４）が少なくとも一つの制御面（７）を有し、インサート部材（３）を組立力の作用下で接続開口部（５）内に取り付ける際に、インサート部材（３）は、固定エレメント（４）が復元力に対抗して移動するように制御面（７）に作用することにより実現される。組立力が十分な場合には、インサート部材（３）は、制御面（７）に接してスライドして通り過ぎ、固定エレメント（４）は、インサート部材（３）を連結様式でロックする。組立力が十分でない場合には、固定エレメント（４）は、インサート部材（３）を接続開口部（５）から再び押し出す。【選択図】図１
2021519404.tif 000002
【特許請求の範囲】
【請求項１】
少なくとも一つの連結エレメント（２）と、少なくとも一つのインサート部材（３）と、少なくとも一つの固定エレメント（４）とを備える媒体導管用の接続装置（１）であって、
前記連結エレメント（２）は、少なくとも一つの接続開口部（５）と、少なくとも一つの流体通路（６）とを有し、
前記インサート部材（３）は、前記接続開口部（５）内に少なくとも部分的に取付可能であり、前記固定エレメント（４）を用いて前記連結エレメント（２）に固定可能であり、
前記固定エレメント（４）は、前記連結エレメント（２）に移動可能に保持され、少なくとも一つの制御面（７）を有し、
前記インサート部材（３）を組立力の作用下で前記接続開口部（５）内へ取り付ける際に、前記インサート部材（３）は、前記固定エレメント（４）が復元力に対抗して開始位置から移動するように前記制御面（７）に作用し、前記復元力は、前記固定エレメント（４）の少なくとも部分的な弾性変形により生じ、および、
前記組立力が十分な場合に、前記インサート部材（３）は、前記制御面（７）に沿ってスライドして通り過ぎ、前記固定エレメント（４）は、前記復元力の作用により再び前記開始位置に移動しかつ前記インサート部材（３）を連結様式でロックするか、又は前記組立力が十分でない場合には、前記固定エレメント（４）は、前記復元力の作用下で前記開始位置に再び移動しかつ前記インサート部材（４）は、前記制御面（７）によって前記接続開口部（５）から少なくとも部分的に再び押し出されることを特徴とする媒体導管用の接続装置（１）。
【請求項２】
前記固定エレメント（４）は、少なくとも二つの制御面（７）を有し、
特に前記制御面（７）は、前記固定エレメント（４）の移動平面（Ｂ）に対して３０°〜５０°の傾斜を有することを特徴とする請求項１に記載の接続装置（１）。
【請求項３】
前記固定エレメント（４）は、前記連結エレメント（２）の少なくとも一つの切欠（９）内にガイドされ、
特に前記切欠（９）は、少なくとも一つのウェブ（１０）（好ましくは二つ〜五つのウェブ（１０））を有し、
前記ウェブ（１０）は、前記切欠（９）を安定化するように広がり、特に前記少なくとも一つのウェブ（１０）は、前記固定エレメント（４）の動きを制限することを特徴とする請求項１又は２に記載の接続装置（１）。
【請求項４】
前記固定エレメント（４）は、少なくとも二つ（特に少なくとも四つ、好ましくは少なくとも六つ）のラッチ面（１２）を有し、
前記ラッチ面（１２）は、ロックされた組立状態で、前記インサート部材（３）と（特に前記インサート部材（３）の固定カラー（１３）と）前記連結様式で相互作用することを特徴とする請求項１から３のいずれか１項に記載の接続装置（１）。
【請求項５】
少なくとも一つのラッチ面（１２）は、前記固定エレメント（４）の突出部（２２）に形成され、
前記少なくとも一つの制御面（７）は、前記突出部（２２）に形成され、
特に前記少なくとも一つの制御面（７）は、前記ラッチ面（１２）に隣接して形成されていることを特徴とする請求項４に記載の接続装置（１）。
【請求項６】
前記固定エレメント（４）は、前記連結エレメント（２）を少なくとも部分的に把持し、前記固定エレメント（４）の第一の端部領域（１４）と第二の端部領域（１５）とが互いに向かい合うように配置され、
特に前記固定エレメント（４）は、平面図で実質的にＣ形の断面を有することを特徴とする請求項１から５のいずれか１項に記載の接続装置（１）。
【請求項７】
前記固定エレメント（４）の前記第一の端部領域（１４）内及び／又は前記第二の端部領域（１５）内に、少なくとも一つのガイド突出部（１６）が形成され（特に少なくとも二つのガイド突出部（１６）が形成され）、
前記ガイド突出部（１６）は、前記開始位置から移動する際に、特に前記固定エレメント（４）を弾性に変形するために、前記連結エレメント（２）の少なくとも一つの対応するガイド面（１７）（特に少なくとも二つのガイド面（１７））に沿うようにスライドし、
特に前記ガイド面（１７）は、前記接続開口部（５）の中心軸（Ａ）を中心とする仮想円に対して接線方向に位置設定されていることを特徴とする請求項６に記載の接続装置（１）。
【請求項８】
前記第一の端部領域（１４）と前記第二の端部領域（１５）とに相互作用する前記ガイド面（１７）は、相互に反対方向に傾斜されていることを特徴とする請求項１から７のいずれか１項に記載の接続装置（１）。
【請求項９】
前記復元力は、前記固定エレメント（４）の材料の選択より、及び／又は前記ガイド突出部（１６）と前記ガイド面（１７）との位置設定により調節されることを特徴とする請求項１から８のいずれか１項に記載の接続装置（１）。
【請求項１０】
前記固定エレメント（４）は、特に少なくとも前記第一の端部領域（１４）内又は少なくとも前記第二の端部領域（１５）内で、少なくとも一つのラッチ突起（１８）（特に二つのラッチ突起（１８））を有し、
前記ラッチ突起（１８）は、組立状態で、前記インサート部材（３）のラッチショルダ（１９）と噛み合い、特に前記ラッチ突起（１８）は、前記中心軸（Ａ）に対して半径方向に移動可能であることを特徴とする請求項１から９のいずれか１項に記載の接続装置（１）。
【請求項１１】
前記インサート部材（３）は、少なくとも一つの平坦部（２０）（特に少なくとも二つ又は四つの向かい合うように配置された平坦部（２０））を有し、
前記接続開口部（５）は、内周に少なくとも一つの対応する平坦部（２１）（特に少なくとも二つ又は四つの向かい合うように配置された平坦部（２１））を有することを特徴とする請求項１から１０のいずれか１項に記載の接続装置（１）。
【請求項１２】
前記固定エレメント（４）は、少なくとも一つの遮断エッジ（２５）を有し、
特に前記遮断エッジ（２５）は、組立状態で、前記連結エレメント（２）と前記連結様式で相互作用し、
好ましくは前記遮断エッジ（２５）は、０．１ｍｍ〜０．３ｍｍ（好ましくは０．２ｍｍ）の高さを有することを特徴とする請求項１から１１のいずれか１項に記載の接続装置（１）。
【請求項１３】
前記固定エレメント（４）は、前記開始位置に到達する際にラッチ音を生じることを特徴とする請求項１から１２のいずれか１項に記載の接続装置（１）。
【請求項１４】
前記固定エレメント（４）は、少なくとも一つの側に、少なくとも一つの円周保護エッジ（２６）を有し、
好ましくは前記固定エレメント（４）は、二つの側に、少なくとも一つの円周保護エッジ（２６）を有することを特徴とする請求項１から１３までのいずれか１項に記載の接続装置（１）。
【請求項１５】
前記連結エレメント（２）は、前記インサート部材（３）用に、少なくとも一つの位置設定表示手段（３２）（好ましくは二つの位置設定表示手段（３２））を有し、
好ましくは前記インサート部材（３）は、前記固定エレメント（４）の前記位置設定表示手段（３２）と対応する少なくとも一つの位置設定表示手段（３３）（好ましくは二つの対応する位置設定表示手段（３３））を有することを特徴とする請求項１から１４のいずれか１項に記載の接続装置（１）。
【請求項１６】
少なくとも一つの回り止め（３０）が存在し、
前記回り止め（３０）は、前記連結エレメント（２）と前記連結様式でロック可能であることを特徴とする請求項１から１５のいずれか１項に記載の接続装置（１）。
【発明の詳細な説明】
【技術分野】
【０００１】
本発明は、少なくとも一つの連結エレメントと、少なくとも一つのインサート部材と、少なくとも一つの固定エレメントとを備え、連結エレメントは、少なくとも一つの接続開口部と、少なくとも一つの流体通路とを有し、インサート部材は、特に、接続開口部の中心軸に対して平行又は同軸に配向されている軸方向で、少なくとも部分的にこの接続開口部内に取付可能である、媒体導管用の接続装置に関する。インサート部材は、固定エレメントを用いて連結エレメントに固定可能である。
【背景技術】
【０００２】
媒体導管用の接続装置は、先行技術において多数の実施形態において公知である。この種の接続装置の場合に、接続開口部は、接続装置の流体通路と媒体導管との結合のために用いられる。例えば、連結エレメントの接続開口部内に、いわゆる圧入カートリッジが差し込まれる。この圧入カートリッジは、接続開口部内で連結エレメントと強固に接続され、かつ媒体導管用の結合インターフェース、例えば結合コネクタ用の収容部を提供する。
【０００３】
「媒体導管」の用語は、原則的に、ガス又は液体のような任意の流動媒体及び／又は圧力媒体用の導管結合であると解釈される。媒体導管は、原則的に、管状導管又はホース状導管、並びに媒体の案内用のシステムの一部であるそれらの接続エレメント及び結合エレメントである。特に、この種の媒体導管は、プラスチックから製造されている。
【０００４】
先行技術から公知の接続装置は、しばしば多大な組立の手間がかかり、及び／又は圧力印加のための必要な保持力の付与に適していない。このことが接続装置の損傷を引き起こしかねない。さらに、先行技術から公知の接続装置は、組立の誤りを引き起こしやすいことがある。
【発明の概要】
【発明が解決しようとする課題】
【０００５】
したがって、本発明の基礎となる課題は、組立の手間が軽減され、大きな保持力が付与され、かつ組立の誤りの危険を低減する接続装置を提供することである。
【課題を解決するための手段】
【０００６】
この課題は、本発明によれば、請求項１の特徴部の特徴により解決される。つまり、固定エレメントは、特に接続開口部の中心軸に対して、好ましくはこの接続開口部の中心軸が平面法線である仮想移動平面内で、連結エレメントに移動可能に保持されていて、かつ固定エレメントは、少なくとも一つの制御面を有する。インサート部材を組立力の作用下で接続開口部内へ取り付ける際に、固定エレメントは、固定エレメントがインサート部材をロックする開始位置から復元力に反して、特に接続開口部の中心軸に対して、好ましくは移動平面内で移動するように、インサート部材が制御面に作用する。
【０００７】
インサート部材の取付により引き起こされる固定エレメントの移動に対抗する復元力は、特にこの移動によって引き起こされる、固定エレメントの少なくとも部分的な弾性変形により生じる。特に、組立力が十分な場合には、インサート部材は制御面に沿ってスライドして通り過ぎる。その結果、固定エレメントは、復元力の作用下で対抗して再び開始位置の方向に移動し、インサート部材を連結様式（interlocking manner）でロックする。その結果、固定エレメントは、開始位置に存在し、インサート部材の組立により中間位置で一時的にたわみ、復元力の作用下で再び開始位置に引き続き移動する。その際、インサート部材は、連結様式でロックされる。
【０００８】
組立力は、通常では７０Ｎ〜９０Ｎ、特に約８０Ｎである。この組立力の場合に、インサート部材は、連結エレメント及び／又は固定エレメントを確実にロックすることが保証されている。固定エレメントの復元力は、３０Ｎ〜６０Ｎである。
【０００９】
接続開口部の中心軸に対して実質的に平行に作用する組立力は、インサート部材が制御面に沿ってスライドして又は制御面を通り過ぎてスライドすることができ、かつ固定エレメントの反対方向への移動が解除されるまで、少なくとも組立力の制御面に作用する部分が復元力を上回れば十分である。この場合、組立力の部分は、制御面を介して固定エレメントに伝達され、かつ移動平面内での固定エレメントの移動を引き起こす。この移動は、また固定エレメントの変形に原因があり、それにより復元力が生じる。接続開口部の中心軸は、固定エレメントの移動平面に対する平面法線である。組立力は、全体として、制御面上での固定エレメントの押しずらし（変位）を引き起こすためにも、取付の際のインサート部材及び固定エレメントでの摩擦力並びにインサート部材の封止手段についての変形力を克服するためにも十分に大きくなければならない。
【００１０】
組立力及び／又は組立力の適用時間は、インサート部材が制御面に沿ってスライドして、制御面を通り過ぎてスライドすることができるほど、固定エレメントが制御面上を移動しないならば不十分である。この場合に、固定エレメントを復元力の作用下で再び開始位置に移動させし、かつインサート部材を制御面によって接続開口部から少なくとも部分的に再び押し出すように、復元力は、好適に調節及び選択される。それにより、組立の誤りをすぐに認識できることが保証される。
【００１１】
復元力は、この場合に、例えば、固定エレメントの材料の選択及び／又は固定エレメントの変形の度合いに関して、固定エレメントがそれ自体ブロックする中間位置のままに留まらないように、選択され、好適に調節されている。したがってつまり、固定エレメントは、組立が正しい場合には、開始位置にありかつインサート部材をロックするか、又は固定エレメントは、たわんだ後に再び開始位置にありかつ取付方向に反してインサート部材を、接続開口部の中心軸に沿って、再び接続開口部から押し出す。
【００１２】
接続装置の第一の実施態様によると、固定エレメントは、少なくとも二つの制御面を有することが予定されている。特に、制御面は、固定エレメントの移動平面に対して３０°〜５０°の傾斜を有することが予定されている。固定エレメントに対する均一な力の伝達のために、二つの（特に隣り合って配置された）制御面が提供される場合が好ましい。好ましくは、制御面は、同一に形成されかつ同一に傾斜している。
【００１３】
制御面は、凸形又は凹形に湾曲していることも予定されている。いずれの場合でも、制御面は、接続開口部の中心軸に対して平行方向で制御面に向かう力が、特にこの力が直交する方向に向いた移動平面内で、固定エレメントの移動を引き起こすように形成されている。
【００１４】
接続装置の別の実施態様によると、固定エレメントは、連結エレメントの少なくとも一つの切欠（凹部）内にガイドされていることが予定されている。この切欠は、接続開口部を少なくとも部分的に取り囲む。この切欠は、接続開口部を取り囲む壁部を少なくとも部分的に及び／又は完全に貫通する。好ましくは、安定性の理由から、この切欠は少なくとも一つのウェブ、好ましくは二つ〜五つのウェブを有し、かつこのウェブ又はこれらのウェブは切欠を安定化するように延びることが予定されている。
【００１５】
このウェブ又はこれらのウェブは、切欠を取り囲む壁部が、切欠の領域内で弱くなりすぎることを防ぎ、かつ特に接続開口部の中心軸に対して平行な方向で、壁部の残りの領域が分離されることを防ぐ。好ましくは、少なくとも一つのウェブ、特に二つのウェブ、有利に四つのウェブは、これらのウェブにより、固定エレメントの可動性が制限され、特にこのウェブ又はこれらのウェブが中間位置の状態を定義するように配置されていることも予定されている。中間位置では、インサート部材は、制御面に沿ってスライドすることができる。その結果、引き続き、制御面にもはや力はかからず、それにより、復元力が固定エレメントを開始位置に移動させる。
【００１６】
特に保持力を高めるために、接続装置の別の実施態様によると、固定エレメントが、少なくとも二つ、特に少なくとも四つ、有利に少なくとも六つのラッチ面（snap-in surface）を有する。これらのラッチ面は、組立状態で、連結様式でインサート部材と相互作用し、特にインサート部材の固定カラーと相互作用することが予定されている場合に有利であることが判明した。
【００１７】
インサート部材の取付の際に、これらのラッチ面は、インサート部材がこれらのラッチ面を通り過ぎてスライドすることができるように、固定エレメントと共に押しずらされる。この場合、インサート部材は、制御面を過ぎてスライドし、固定エレメントが復元力の作用下で再び固定エレメントの開始位置に移動するように深く接続開口部内に取り付けられている場合、ラッチ面は、インサート部材（特にインサート部材の固定カラー）と連結様式で相互作用し、かつインサート部材が、接続開口部の中心軸に対して平行方向（特に組立方向に反する方向）に押し出されることを防ぐ位置に移動される。好ましくは、ラッチ面が、開始位置で、接続開口部を取り囲む連結エレメントの壁部内の切欠を貫通するように、ラッチ面が配置されている。
【００１８】
接続装置の別の実施態様は、少なくとも一つのラッチ面が固定エレメントの突出部（lug）に形成されていて、この突出部には制御面も形成されていることを予定する。好ましくは、制御面は、ラッチ面に隣接して形成されている。好ましくは、固定エレメントは、少なくとも二つ又は多数の突出部を有し、各々の突出部に、少なくとも一つのラッチ面及び／又は少なくとも一つの制御面が形成されている。好ましくは、突出部の片側にラッチ面が形成されていて、突出部の向かい合う側に制御面が形成されている。制御面の傾斜により、制御面は、特にラッチ面に隣接して形成されている。
【００１９】
接続装置の別の実施態様によると、固定エレメントは、連結エレメントと、ひいては組立状態では取り付けられたインサート部材とを、少なくとも部分的に把持（囲む）するように、形成されている。つまり、固定エレメントの第一の端部領域と第二の端部領域とが、特に接続開口部の中心軸の向かい合う側に、互いに向かい合って配置されているように形成されていることが予定されている。このために、固定エレメントは、平面図で、実質的にＣ形の断面を有する場合が有利であることが判明した。固定エレメントは、例えば、二つの（特に湾曲した）脚部と、脚部を結合する一つの（特に湾曲した）背部とを有する。したがって、固定エレメントは、平面図で、２５０°〜２７０°の角度を有する円弧にわたって延びる。
【００２０】
固定エレメントは、連結エレメントを少なくとも部分的に把持し、特にＣ形に形成されていることにより、固定エレメントの両方の端部領域は、開始位置から移動する際に、互いに離れるように広がり、それにより復元力が少なくとも部分的に引き起こされる。
【００２１】
この関連で、別の実施形態によると、固定エレメントの第一の端部領域内及び／又は第二の端部領域内に少なくとも一つのガイド突出部が形成され、好ましくは、各々の端部領域に少なくとも二つのガイド突出部が形成されていることが予定されている場合が特に有利であることが判明した。一つのガイド突出部又は複数のガイド突出部は、組立状態で、好ましくは両方の端部領域内で、接続開口部の中心軸に対して平行な方向において、上側又は下側に向かう方向に延びている。
【００２２】
これらのガイド突出部に対応して、連結エレメントは、各々のガイド突出部用にそれぞれガイド面を有し、固定エレメントが開始位置から移動する際に、特定のガイド突出部がこのガイド面に沿うようにスライドする。開始位置では、ガイド突出部は、好ましくはガイド面に面一に当接している。ガイド突出部それ自体の構造的配置及び構成及びガイド面に対する位置により、開始位置から出発して、移動平面内で移動する際、固定エレメントの弾性変形の度合いを決定し、それにより復元力の大きさを調節することができる。有利に、これらのガイド面は、中心軸及び接続開口部を中心とした仮想円に対して実質的に接線方向に配向されていることが予定されている。
【００２３】
したがって、復元力は、固定エレメントの材料の選択、変形される領域内の固定エレメントの材料の厚み、及び／又はガイド突出部及びガイド面の位置設定によって調節可能である。
【００２４】
別の実施態様によると、さらに、第一の端部領域と第二の端部領域と（特にそこに配置されたガイド突出部と）相互作用するガイド面が、それぞれ反対方向に傾斜していることを予定されている場合が有利であることが判明した。
【００２５】
特に、固定エレメントの固定の安全性をさらに向上するために、別の実施態様によると、固定エレメントが、特に少なくとも第一の端部領域内及び／又は少なくとも第二の端部領域内で、それぞれ少なくとも一つのラッチ突起（snap-in protrusion）を有し、かつ各々のラッチ突起は、組立状態で、インサート部材のラッチショルダ内に噛み合い（嵌合し）、特に一つのラッチ突起又は複数のラッチ突起は、半径方向に移動可能であることが予定されている。ラッチ突起が、それぞれ固定エレメントの第一の端部領域及び第二の端部領域に配置されていることにより、このラッチ突起は、固定エレメントの移動により引き起こされる固定エレメントの脚部の変形の際に、同様に外側に向かって移動し、それによりインサート部材を取り付けることができる。固定エレメントが、再び開始位置の方向に移動する際に、固定エレメントの端部領域のラッチ突起は、好ましくは、接続開口部の中心軸に対して実質的に半径方向に移動し、かつこの場合にインサート部材に設けられたラッチショルダ内に連結様式で噛み合う。
【００２６】
好ましくは、構造空間を低減するために、接続装置の他の実施態様によると、インサート部材は、少なくとも一つの平坦部、特に、外周に向かい合うように配置された少なくとも二つ又は四つの平坦部を有し、接続開口部は、少なくとも一つの対応する平坦部、特に、内周に向かい合うように配置された少なくとも二つ又は四つの平坦部を有することが予定されている。インサート部材は、一つの平坦部の場合には、一つの方向設定だけで、二つの平坦部の場合には、二つの方向設定で、接続開口部内に取付可能である。これは、インサート部材を接続開口部内に組み立てた後に、インサート部材の回転が防止されるという利点を有する。さらに、この平坦部により、コンパクトな接続装置の構造的造形（デザイン構成）が可能となる。
【００２７】
固定エレメントの他の実施態様は、固定エレメントが少なくとも一つの遮断エッジを有し、特に、遮断エッジは、組立状態で、連結様式で連結エレメントと相互作用することを予定する。遮断エッジは、好ましくは、遮断エッジが、作動状態で、流体通路内に印加される圧力により、連結エレメントの少なくとも一つのエッジとの嵌合において、押圧されるように配置されている。したがって、遮断エッジは、圧力により作動する。さらに、遮断エッジは、固定エレメントに配置される。その結果、遮断エッジが連結エレメントのエッジと相互作用することにより、特に作動時に、固定エレメントの拡張、ひいては固定エレメントの意図しない脱落を防止する。好ましくは、固定エレメントに、少なくとも二つの（好ましくは少なくとも四つの）遮断エッジが設けられている。特に、遮断エッジは、向かい合うように固定エレメントに配置されている。
【００２８】
さらに、遮断エッジが、固定エレメントの突出部に設けられていて、好ましくは制御面に隣接して形成されている場合に好ましいことが判明した。制御エッジは、例えば、ラッチ面に対して実質的に直交する方向に延びる。遮断エッジは、例えば、０．１ｍｍ〜０．３ｍｍ、好ましくは０．２ｍｍの高さを有する。遮断エッジの高さは、好ましくは接続開口部の中心軸Ａに対して平行方向の延在に対応する。
【００２９】
接続装置の組立の間の取扱は、別の実施態様によると、開始位置に到達するときはいつでもラッチ音が生じるように、固定エレメントが形成及び調節されていることにより簡素化される。ラッチ音により、組立工は、接続開口部内に取り付けられたインサート部材が決められたとおりに組み立てられていることを認識できる。ラッチ音は、例えば、特に連結エレメントと固定エレメントとの二つのエッジがスライドして外れることによるか、二つの面が打ち当たることにより生じる。
【００３０】
固定エレメントと連結エレメントの間への、例えば汚れ、塗料又は異物の侵入は、別の実施態様によると、固定エレメントが少なくとも一方の側に少なくとも一つの円周方向の保護エッジを有することにより防がれる。保護エッジは、固定エレメントの基体を越えて延在し、この場合に、組立状態で、固定エレメントと連結エレメントの間の隙間をカバーする。それにより、塗装の際の塗料又は汚れの侵入を防ぐ。好ましくは、固定エレメントは、それぞれ向かい合う側に円周方向の保護エッジを有するので、固定エレメントと連結エレメントの間の両方の隙間はカバーされる。
【００３１】
接続装置の組立は、連結エレメントが、インサート部材用の少なくとも一つの位置設定表示手段を有することにより簡素化される。インサート部材は、少なくとも一つの対応する位置設定表示手段を有するので、組立工は、インサート部材が一つの位置設定で取付可能であり、この位置設定では、２つの位置設定表示手段が互いに位置設定されている。好ましくは、連結エレメントとインサート部材とは、それぞれ二つの位置設定表示手段を有するので、インサート部材は、二つの位置設定で取付可能である。
【発明の効果】
【００３２】
連結エレメント内に取り付けられた結合コネクタの位置設定は、好ましくは、別の実施態様によると、連結エレメントが少なくとも一つの回り止めを有し、かつ回り止めは連結様式で連結エレメントとロック可能であることにより決定することができる。このため、連結エレメントは、接続開口部の領域内で、連結エレメントに嵌め込まれ、かつ連結様式でロックされる。連結様式でロックは、このロックが、中心軸Ａを中心としたトルクを伝達することができるように形成されている。結合コネクタは、その回転方向の位置設定を決定するために、連結様式で回り止めと相互作用する。
【００３３】
本発明の更なる有利な実施形態は、以下の図面の説明及び従属請求項から明らかである。
【図面の簡単な説明】
【００３４】
【図１】図１は、接続装置の実施例の斜視図を示す。
【００３５】
【図２】図２は、接続装置の実施例の詳細図を示す。
【００３６】
【図３】図３は、接続装置の実施例の平面図を示す。
【００３７】
【図４ａ】図４ａは、固定エレメントの実施例の異なる見方による図を示す。
【図４ｂ】図４ｂは、固定エレメントの実施例の異なる見方による図を示す。
【図４ｃ】図４ｃは、固定エレメントの実施例の異なる見方による図を示す。
【００３８】
【図５】図５は、接続装置の実施例の詳細図を示す。
【００３９】
【図６】図６は、接続装置の実施例の部分断面図を示す。
【００４０】
【図７】図７は、接続装置の実施例の斜視図を示す。
【００４１】
【図８ａ】図８ａは、固定エレメントの実施例の異なる見方による図を示す。
【図８ｂ】図８ｂは、固定エレメントの実施例の異なる見方による図を示す。
【００４２】
【図９】図９は、接続装置の実施例の断面図を示す。
【００４３】
【図１０】図１０は、図９の部分Ｂの拡大図を示す。
【００４４】
図面の異なる図において、同じ部材には同じ符号が付けられている。
【発明を実施するための形態】
【００４５】
引き続く説明について、本発明は、実施例に限定されるものではなく、かつここに記載された特徴の組合せの全ての又はいくつかの特徴に限定されるものではなく、むしろこの／各々の実施例の各々の個別の部分的特徴が、これに関連して記載されたそれ自体の他の全ての部分的特徴から切り離しても、他の実施例の任意の特徴と組み合わせても、本発明の主題にとって重要であることが請求される。
【００４６】
図１は、接続装置１の実施例を斜視図を示す。接続装置１は、少なくとも一つの連結エレメント２を有し、この連結エレメント２は、この実施例の場合に、Ｔ形ジョイント部分として構成されている。接続装置１は、さらに少なくとも一つのインサート部材３と、図４ａ〜図４ｃに別々に示された固定エレメント４とを有する。この実施例の場合に、連結エレメント２は、三つの接続開口部５を有し、これらの接続開口部５は、図２に例示的に示された流体通路６への結合を作り出すことを可能にする。
【００４７】
図１に例示的に示されたインサート部材３は、接続装置１内に取付可能でかつ図４ａ〜図４ｃで示された固定エレメント４を用いて連結エレメント２に固定可能である。インサート部材３は、媒体導管用の結合インターフェース８、例えば（図示されていない）結合コネクタ用の収容部（凹部）を提供する。
【００４８】
固定エレメント４は、図３及び図５に示された開始位置（この開始位置では、インサート部材３が取り付けられた場合にインサート部材３の連結様式でロックも行われる）と、図２及び図６に示された中間位置（この中間位置では、インサート部材３は、接続開口部５内により深く取り付けることができる）との間で移動可能に連結エレメント２に保持されている。固定エレメント４は、図４ａ〜図４ｃによると、個別の部品として構成されていて、連結エレメント２に移動可能に固定される。
【００４９】
図４ａ〜図４ｃによると、固定エレメント４は、二つの制御面７を有し、これらの制御面は、図３、図５及び図６によると、組立状態で、連結エレメント２と、インサート部材３と相互作用可能に接続開口部５内に配置されている。
【００５０】
図１によるインサート部材３が、組立力Ｍの作用下で、接続開口部５の中心軸Ａに対して平行に接続開口部５内へ取り付けられる場合、インサート部材３及び／又は組立力Ｍは、図３、図５及び図６によると、固定エレメント４が、図３及び図５による開始位置から、仮想移動平面Ｂで、矢印Ｒの方向に移動されるように、制御面７に作用する。固定エレメント４が中心軸Ａに対して開始位置から移動することにより、固定エレメント４は、少なくとも部分的に弾性変形され、それによりこの移動に対抗する復元力が生じる。
【００５１】
組立力Ｍが十分な場合には、インサート部材３は、制御面７に接してスライドして通り過ぎるので、力がもはや制御面７に作用せずかつ固定エレメント４は、引き続き復元力の作用下で再びその開始位置に移動し、かつインサート部材３に連結様式でロックすることができる。組立力Ｍが十分でない場合には、インサート部材３は、復元力の作用下で、固定エレメント４の制御面７によって少なくとも部分的に、接続開口部５から組立方向に対抗する方向に再び押し出される。それにより、組立の誤りをすぐに認識することが保証される。
【００５２】
固定エレメント４は、図２、図５及び図６によると、連結エレメント２の切欠（凹部）９内にガイドされている。切欠９内には五つのウェブ１０が配置されていて、これらのウェブは、切欠９を安定化するように橋渡しし、圧力が印加される際に、切欠９が、接続開口部５の中心軸Ａに対して平行の方向に広がることを防ぐ。図６によると、縁部領域に配置されているウェブ１０の側面１１により、固定エレメント４の方向Ｒへの移動は、制限可能である。
【００５３】
固定エレメント４は、図２、図３、図４ａ、図４ｂ、図４ｃ、図５、図６、図８ａ及び図８ｂによると、六つのラッチ面１２を有する。これらのラッチ面１２は、図３及び図５による開始位置では、切欠９に噛み合い、インサート部材３が接続開口部５内へ十分な深さで取り付けられている場合に限り、特に接続開口部５の中心軸Ａに対して平行の方向に、連結様式でインサート部材３と相互作用する。ラッチ面１２は、図１、図６、図９及び図１０によると、ラッチ面１２が固定カラー１３の上側で固定カラーと重なることで、インサート部材３の固定カラー１３と相互作用する。ラッチ面１２と制御面７とは、それぞれ固定エレメント４の合計で六つの突出部２２に形成されている。これらの突出部２２は、組立状態で、接続開口部５の中心軸Ａの方向で、実質的に半径方向に延びる。
【００５４】
図３、図５及び図６によると、固定エレメント４は、連結エレメント２と、存在する場合には、インサート部材３とを少なくとも部分的に把持する。その結果、第一の端部領域１４と第二の端部領域１５とは（図４ａ〜図４ｃも参照）、特に中心軸Ａに関して、互いに向かい合うように配置されている。
【００５５】
図４ｃ、図６、図８ａ及び図８ｂによると、平面図で実質的にＣ形の断面を有する固定エレメント４が形成されている。図４ａ〜図４ｃ、図５、図６、図８ａ及び図８ｂによると、第一の端部領域１４内と第二の端部領域１５内とに、それぞれ二つのガイド突出部１６が形成されていて、これらのガイド突出部は、接続開口部５の中心軸Ａに対して平行の方向で、上側及び下側に向かって平らに延びる。固定エレメント４が開始位置から方向Ｒに（特に中間位置の方向に）移動する場合、ガイド突出部１６は、連結エレメント２の対応するガイド面１７に接して外側に向かってスライドする。それにより、第一の端部領域１４と第二の端部領域１５とは、互い離れる方向に広がり、復元力が生じる。この復元力は、方向Ｒへ固定エレメント４の移動を反対に作用し、つまり方向Ｒに対抗するように作用する。
【００５６】
ガイド面１７は、例えば、図１及び図６に示されている。ガイド面１７は、接続開口部５の中心軸Ａを中心とする仮想円に対して実質的に接線方向に位置設定されている（特に、図５及び図６参照）。ガイド面１７の傾斜の構造的変化によって、固定エレメント４の変形（特に、広がり）の度合い、及びそれにより復元力が調節可能である。ガイド面１７が少なくとも部分的に湾曲していることも予定されている。
【００５７】
特に、インサート部材３を、接続開口部５内に付加的に確保するために、図２、図３、図４ａ〜図４ｃ、図５、図６、図８ａ及び図８ｂによると、固定エレメント４は、その第一の端部領域１４内とその第二の端部領域１５内とに、それぞれラッチ突起１８を有する。このラッチ突起は、組立状態で、それぞれこのために予定されるインサート部材３のラッチショルダ１９（例えば、図６参照）に噛み合う。ラッチ突起１８がラッチショルダ１９内に連結様式で噛み合うことにより、インサート部材３は、付加的に接続開口部５内で確保される。第一の端部領域１４と第二の端部領域１５とは、固定エレメント４が開始位置から移動する際に、ガイド突出部１６とガイド面１７との間の相互作用により外側方向に広げられる（例えば、図５及び図６参照）。そのため、ラッチ突起１８は、接続開口部５の中心軸Ａに関して実質的に半径方向に向かってかつそれから離れる方向に移動される。図８ａ及び図８ｂの実施例によると、ラッチ突起１８は、ガイド突出部１６に形成されている。
【００５８】
インサート部材３は、図１によると、二つの向かい合う側にそれぞれ一つの平坦部２０を有し、これらの平坦部は、接続開口部５の内周の平坦部２１に対応するように形成されている（例えば、図１、図２、図３及び図５参照）。インサート部材３は、互いに１８０°ずらして配置された二つの位置設定で接続開口部５内に取付可能である。
【００５９】
図７は、接続装置１の実施例を斜視図で示す。接続装置１は、少なくとも一つの連結エレメント２を有し、この連結エレメントは、この実施例の場合に、三つの接続開口部５を有するＴ形ジョイント部分として形成されている。接続装置１は、さらに少なくとも一つのインサート部材３と、図７では例示的に取り付けられていない状態で示された二つの固定エレメント４とを有する。対応する固定エレメント４は、図８ａ及び図８ｂでも同様に別々に示されていて、この関係でより詳細に説明される。
【００６０】
図７で例示的に示されたインサート部材３は、接続装置１内に取付可能であり、図示された又は図８ａ及び図８ｂに示された固定エレメント４を用いて連結エレメント２に固定可能である。インサート部材３は、媒体導管用の結合インターフェース８、例えば（図示されていない）結合コネクタ用の収容部を提供する。この実施例の場合に、接続開口部５は、四つの平坦部２１を有する。これらの平坦部２１は、インサート部材３の対応する平坦部２０と相互作用し、かつ組立状態で傾き防止状態でかつ回転防止状態で接続開口部５内にインサート部材３を保持する。
【００６１】
図７による固定エレメント４は、既に図３及び図５について説明したように、インサート部材３と相互作用するために、組立状態で移動可能に保持されている。固定エレメント４のラッチ面１２は、インサート部材３の固定カラー１３と連結様式で相互作用する。ガイド及び安定性の理由から、固定カラーの周囲に四つのウェブ２３が分配されて配置されている。これらのウェブ２３は、平坦部２０の領域内に配置されている。
【００６２】
図８ａ及び図８ｂの実施例による固定エレメント４は、全体で六つの突出部２２を有し、この突出部の一方の側に制御面７が、他方の側にラッチ面１２が配置されている。図８ａによると、固定エレメント４は、二つのガイド突起２４を有する。このガイド突起２４は、連結エレメント２に対する固定エレメント４の移動をガイドするために用いられ、かつ連結エレメント２の、図７による相応するガイド切欠２５内にガイドされる。
【００６３】
図８ａ及び図８ｂの実施例の場合には、固定エレメント４は、全体で四つの遮断エッジ２５を有する。これらの遮断エッジ２５は、固定エレメント４の領域内に配置されていて、この固定エレメントが開始位置から外側に移動する際にリバウンドする。遮断エッジ２５は、特に、それぞれの制御面７に隣接するように形成されている。遮断エッジ２５の機能は、図１０により詳細に説明されている。
【００６４】
固定エレメント４は、図８ａによると、保護エッジ２６を有し、この保護エッジは、両方のガイド突出部１６の間を円周方向に延びる。この保護エッジ２６は、組立状態で、固定エレメント４と連結エレメント２との間の隙間に汚れ又は塗料が侵入することを防ぎ、かつそれにより固定エレメント４の可動性も保証する。
【００６５】
図９は、三つの接続開口部５内に取り付けられた三つのインサート部材３を備えた図７による連結エレメント２の実施例を示す。連結エレメント２は、保持エレメント３４を有する。この保持エレメント３４は、金属製のブラケットとして形成されていてかつ組立開口部２７を有する。保持エレメント３４は、脚部２８が連結エレメント２の切欠２９内に差し込まれ、連結エレメント２の固定のために用いられる。インサート部材３は、それらのそれぞれの開始位置にある固定エレメント４により保持される。ラッチ面１２は、この場合、それぞれのインサート部材３の固定カラー１３と連結様式で相互作用する。図９によるインサート部材３は、それぞれ唯一のシール（ガスケット）３５を有し、このシールは組立状態で接続開口部５内に密に当接する。
【００６６】
図１０は、図９による領域Ｂの拡大図を示す。インサート部材３は、連結エレメント２の接続開口部５内で、固定カラー１３と固定エレメント４のラッチ面１２との相互作用により保持される。作動状態では、インサート部材３は、当接する圧力により、接続開口部５から、図１０によると上側に向かう方向に押し出される。固定エレメント４は、それに対抗するように作用する。それにより、固定エレメント４の遮断エッジ２５は、連結エレメントと噛み合うように押圧される。それにより、遮断エッジ２５は、固定エレメント４が横方向に、図１０によると左側に逃れることを抑制する。それにより、作動安定性が高められる。遮断エッジ２５は、固定エレメント４が意図せず拡張することを防ぐ。さらに、外側に保護エッジ２６が形成されていて、この保護エッジが、固定エレメント４と連結エレメント２との間に汚れが侵入するのを防ぐ。保護エッジ２６の存在により、遮断エッジ２５が、内側に作用できることが保証されている。というのも、固定エレメント４は、異物による妨害なしに、連結エレメント２に当接することができ、かつ遮断エッジ２５がその遮断効果を達成するためである。
【００６７】
図９及び図１０によると、接続開口部５の領域内に、回り止め３０が取り付けられている。この回り止め３０は、（図示されていない）結合コネクタの回転方向の位置設定及び固定を可能にする。回り止め３０は、連結様式で連結エレメント２にロックされている。さらに、この回り止め３０は、中心軸Ａを中心とするトルクを伝達するために、連結エレメント２のショルダ３１と相互作用する。
【００６８】
図７によると、接続開口部５の縁部領域内で、円周上で向かい合って二つの位置設定表示手段３２が配置されている。連結エレメント２の位置設定表示手段３２が、インサート部材３の対応する位置設定表示手段３３と面一になる場合に、インサート部材は、接続開口部５内に取り付けるために位置合わせされている。
【００６９】
連結エレメント２は、図１、図３、図７及び図９によると、ここでは例えば、三つのインサート部材３を取り付けるための三つの接続開口部５を備えた実質的にＴ形のジョイント部分として形成されている。他の実施形態、例えば、線形又はＬ形のジョイント部分も同様に予定されている。さらに、特に、独国特許１０２０１７１０６６７６号明細書の刊行物によるプレート状のジョイントとしての連結エレメントの実施形態も予定され、この刊行物は、これにより明確に参照される。
【００７０】
本発明は、図示されかつ説明された実施例に限定されるものではなく、本発明の意味範囲で均等である全ての実施態様も含む。これらの実施例は、組み合わせた形の全ての特徴に限定されるものではなく、むしろ各々の個々の特徴部分は、他の全ての特徴部分自体から切り離しても、発明の重要性を有することができることが明確に強調される。さらに、本発明は、請求項１に定義された特徴の組合せに限定されるものではなく、開示された全ての個々の特徴の所定の特徴の各々の任意の他の組合せにより定義されてもよい。これは、原則として、実際に請求項１の各々の個々の特徴を省く、及び／又はこの出願の他の箇所に開示された少なくとも一つの個々の特徴に置き換えることができることを意味する。
【符号の説明】
【００７１】
１  接続装置
２  連結エレメント
３  インサート部材
４  固定エレメント
５  接続開口部
６  流体通路
７  制御面
８  結合インターフェース
９  切欠
１０  ウェブ
１１  側面
１２  ラッチ面
１３  固定カラー
１４  第一の端部領域
１５  第二の端部領域
１６  ガイド突出部
１７  ガイド面
１８  ラッチ突起
１９  ラッチショルダ
２０  平坦部
２１  平坦部
２２  突出部
２３  ウェブ
２４  ガイド突起
２５  遮断エッジ
２６  保護エッジ
２７  組立開口部
２８  脚部
２９  切欠
３０  回り止め
３１  ショルダ
３２  連結エレメント２の位置設定表示手段
３３  インサート部材３の位置設定表示手段
３４  保持エレメント
３５  シール
Ａ  中心軸
Ｂ  移動平面
Ｍ  組立力
Ｒ  方向
【図１】
2021519404.tif 000003
【図２】
2021519404.tif 000004
【図３】
2021519404.tif 000005
【図４ａ】
2021519404.tif 000006
【図４ｂ】
2021519404.tif 000007
【図４ｃ】
2021519404.tif 000008
【図５】
2021519404.tif 000009
【図６】
2021519404.tif 000010
【図７】
2021519404.tif 000011
【図８ａ】
2021519404.tif 000012
【図８ｂ】
2021519404.tif 000013
【図９】
2021519404.tif 000014
【図１０】
2021519404.tif 000015
【国際調査報告】
2021519404.tif 000016
2021519404.tif 000017
2021519404.tif 000018
2021519404.tif 000019
2021519404.tif 000020
2021519404.tif 000021